(57)【要約】【課題】点火プラグにおいて、副接地電極に、火花放電の切断を抑制するために正規放電ギャップから流された火花放電を受け止める役割と、絶縁碍子表面に付着したカーボンを焼失させるために沿面放電を行わせる役割と、を両立させる技術を提供する。【解決手段】中心電極と、中心電極の先端２ａよりも燃焼室内方に延出し、中心電極の先端２ａとの間に正規放電ギャップを形成する主接地電極７と、中心電極の先端２ａよりも燃焼室内方に延出し、中心電極の先端２ａとの間に、正規放電ギャップから流された火花放電を受け止める補助放電ギャップを形成する副接地電極８と、を備えた点火プラグにおいて、副接地電極８の中途部に、絶縁碍子３の端面３ａの表面上に付着したカーボンを介した沿面放電を行わせる突起部８ｂを設けた。【選択図】図２
2008130383.tif 000002
【特許請求の範囲】
【請求項１】
絶縁碍子から先端が突出する中心電極と、
前記中心電極の前記先端よりも燃焼室内方に延出し、前記中心電極の前記先端との間に正規放電ギャップを形成する主接地電極と、
前記中心電極の前記先端よりも燃焼室内方に延出し、前記中心電極の前記先端との間に、前記正規放電ギャップから流された火花放電を受け止める補助放電ギャップを形成する副接地電極と、
を備えた点火プラグにおいて、
前記副接地電極の中途部に、前記絶縁碍子の表面上に付着したカーボンを介した沿面放電を行わせる突起部を設けたことを特徴とする点火プラグ。
【請求項２】
前記副接地電極の中途部に設けられた前記突起部は、前記副接地電極とは別部品で構成されたことを特徴とする請求項１に記載の点火プラグ。
【請求項３】
前記突起部は、前記主接地電極の中途部にも設けられたことを特徴とする請求項１又は２に記載の点火プラグ。
【請求項４】
前記主接地電極の中途部に設けられた前記突起部は、前記主接地電極とは別部品で構成されたことを特徴とする請求項３に記載の点火プラグ。
【請求項５】
前記正規放電ギャップをＥ、前記補助放電ギャップをＣ、前記中心電極の前記絶縁碍子から露出した縁部と前記突起部とのギャップをＡ、前記中心電極の前記先端と前記突起部とのギャップをＤ、前記絶縁碍子における前記中心電極の前記先端が突出する端面の縁部と前記突起部とのギャップをＢ、前記突起部と接地電極が接続されたハウジングとのギャップをＨ、前記絶縁碍子における前記中心電極の前記先端が突出する端面と接地電極が接続されたハウジングとのギャップをＧとすると、
Ｅ＜Ｃ、Ｅ＜Ａ、Ｃ＜Ｄ、Ｅ＞Ｂ、Ｈ＜Ｇ
の関係を満たすことを特徴とする請求項１〜４のいずれか１項に記載の点火プラグ。
【請求項６】
前記主接地電極を１つ有すると共に前記副接地電極を２つ有し、前記主接地電極及び前記副接地電極が前記中心電極の周りで１２０度毎均等に離れて配置されたことを特徴とする請求項１〜５のいずれか１項に記載の点火プラグ。
【発明の詳細な説明】
【技術分野】
【０００１】
本発明は、内燃機関に用いられる点火プラグに関する。
【背景技術】
【０００２】
リーンバーンエンジンは、空燃比をリーン化して燃焼することで、燃費とＮＯｘエミッションを低減する。ここで、燃焼室内をリーン化するために燃焼室内の混合気の流動が促進されて激しくなっている。このように燃焼室内の混合気の流動が激しいときには、点火プラグにおける火花放電が流され、切断されてしまう場合がある。
【０００３】
このため、正規放電ギャップを形成する主接地電極の他に、正規放電ギャップから流された火花放電を受け止める補助放電ギャップを形成する副接地電極を設け、火花放電が切断されてしまうことを抑制する技術が知られている（例えば、特許文献１参照）。
【０００４】
一方、燃焼室内をリーン化する際にリッチ混合気が点火プラグ周辺に集まり、点火プラグにカーボンが付着し易い。点火プラグの中心電極を保持する絶縁碍子の表面にカーボンが付着すると、絶縁碍子表面の絶縁性が低下し、正規放電ギャップでの火花放電よりもカーボンを介して絶縁碍子表面からその周囲のハウジングとの間で沿面放電が生じてしまう場合がある。
【０００５】
このため、正規放電ギャップを形成する主接地電極の他に、絶縁碍子表面に付着したカーボンを焼失させるための沿面放電を行わせる補助放電ギャップを形成する副接地電極を設ける技術が知られている（例えば、特許文献２参照）。
【特許文献１】特開平９−１３９２７６号公報
【特許文献２】特開２００２−２３１４１４号公報
【発明の開示】
【発明が解決しようとする課題】
【０００６】
ところが、前記特許文献１での副接地電極は、正規放電ギャップから流された火花放電を受け止めるために、副接地電極の先端が中心電極の周りの絶縁碍子表面から離れた燃焼室内方に位置する。このため、前記特許文献１での副接地電極では、補助放電ギャップで火花放電が行われても、放電位置が絶縁碍子表面から遠く、前記特許文献２のように絶縁碍子表面に付着したカーボンを焼失させることはできなかった。
【０００７】
したがって、副接地電極を設けただけでは、副接地電極に、火花放電の切断を抑制するために正規放電ギャップから流された火花放電を受け止める役割と、絶縁碍子表面に付着したカーボンを焼失させるために沿面放電を行わせる役割と、を両立させることは困難であった。
【０００８】
本発明は上記事情に鑑みてなされたものであり、その目的とするところは、点火プラグにおいて、副接地電極に、火花放電の切断を抑制するために正規放電ギャップから流された火花放電を受け止める役割と、絶縁碍子表面に付着したカーボンを焼失させるために沿面放電を行わせる役割と、を両立させる技術を提供することにある。
【課題を解決するための手段】
【０００９】
本発明にあっては、以下の構成を採用する。すなわち、
絶縁碍子から先端が突出する中心電極と、
前記中心電極の前記先端よりも燃焼室内方に延出し、前記中心電極の前記先端との間に
正規放電ギャップを形成する主接地電極と、
前記中心電極の前記先端よりも燃焼室内方に延出し、前記中心電極の前記先端との間に、前記正規放電ギャップから流された火花放電を受け止める補助放電ギャップを形成する副接地電極と、
を備えた点火プラグにおいて、
前記副接地電極の中途部に、前記絶縁碍子の表面上に付着したカーボンを介した沿面放電を行わせる突起部を設けたことを特徴とする点火プラグである。
【００１０】
主接地電極の他に副接地電極を設けただけでは、副接地電極に、火花放電の切断を抑制するために正規放電ギャップから流された火花放電を受け止める役割と、絶縁碍子表面に付着したカーボンを焼失させるために沿面放電を行わせる役割と、のいずれかの役割を持たせることしかできず、両方の役割を両立させることは困難であった。
【００１１】
また、前記両方の役割を別々に持たせる副接地電極を夫々設ける場合には、副接地電極の総数が増加してしまい、主接地電極や副接地電極の電極間の隙間が小さくなる。このため、点火プラグにおける主接地電極や副接地電極に囲まれ放電を行う領域に対して電極間の小さな隙間からの掃気が不十分となり、点火を阻害する可能性があった。
【００１２】
そこで、本発明では、火花放電の切断を抑制するために正規放電ギャップから流された火花放電を受け止める補助放電ギャップを形成する副接地電極の中途部に、絶縁碍子の表面上に付着したカーボンを介した沿面放電を行わせる突起部を設けた。
【００１３】
これによると、副接地電極の補助放電ギャップでは、火花放電の切断を抑制するために正規放電ギャップから流された火花放電を受け止めることができると同時に、突起部を用いて、絶縁碍子の表面上に付着したカーボンを焼失させるためにカーボンを介した沿面放電を行わせることができる。
【００１４】
すなわち、突起部を設けた副接地電極は、火花放電の切断を抑制するために正規放電ギャップから流された火花放電を受け止める役割と、絶縁碍子表面に付着したカーボンを焼失させるために沿面放電を行わせる役割と、を両立することができるようになる。
【００１５】
また、突起部を設けた副接地電極は、前記両方の役割を担うことができるため、配置する副接地電極の総数が少なくてよく、主接地電極や副接地電極の電極間の隙間が大きくなる。このため、点火プラグにおける主接地電極や副接地電極に囲まれ放電を行う領域に対して電極間の大きな隙間から掃気が十分行えるので、点火をより良く行うことができる。
【００１６】
前記突起部は、前記主接地電極の中途部にも設けられるとよい。これによると、主接地電極側の絶縁碍子表面に付着したカーボンを焼失させることができる。よって、副接地電極に設けられた突起部と主接地電極に設けられた突起部とを用いることで、絶縁碍子表面に付着したカーボンを全周的に死角なく焼失させることができる。
【００１７】
前記突起部は、前記副接地電極若しくは前記主接地電極とは別部品で構成されるとよい。これによると、本発明の点火プラグと突起部を必要としない点火プラグとで副接地電極及び／又は主接地電極を共用することができ、当該接地電極の部品の共通化によって製造コストを低減することができる。
【００１８】
前記正規放電ギャップをＥ、前記補助放電ギャップをＣ、前記中心電極の前記絶縁碍子から露出した縁部と前記突起部とのギャップをＡ、前記中心電極の前記先端と前記突起部とのギャップをＤ、前記絶縁碍子における前記中心電極の前記先端が突出する端面の縁部と前記突起部とのギャップをＢ、前記突起部と接地電極が接続されたハウジングとのギャ
ップをＨ、前記絶縁碍子における前記中心電極の前記先端が突出する端面と接地電極が接続されたハウジングとのギャップをＧとすると、
Ｅ＜Ｃ、Ｅ＜Ａ、Ｃ＜Ｄ、Ｅ＞Ｂ、Ｈ＜Ｇ
の関係を満たすとよい。
【００１９】
これによると、Ｅ＜Ｃ、Ｅ＜Ａの関係を満たすことにより、通常時に正規放電ギャップＥで火花放電することができる。Ｃ＜Ｄの関係を満たすことにより、正規放電ギャップＥから流された火花放電を補助放電ギャップＣで受け止めることができる。Ｅ＞Ｂ、Ｈ＜Ｇの関係を満たすことにより、絶縁碍子表面にカーボンが付着した際にカーボンを焼失させるためにカーボンを介した沿面放電をギャップＢで行うことができ、かつ当該沿面放電が絶縁碍子表面をはってギャップＧを有するハウジングとの間で行われることを防止することができる。
【００２０】
前記主接地電極を１つ有すると共に前記副接地電極を２つ有し、前記主接地電極及び前記副接地電極が前記中心電極の周りで１２０度毎均等に離れて配置されるとよい。これによると、前記両方の役割を３等分された領域で夫々の主接地電極及び副接地電極が担い、前記両方の役割を不具合なく果たすことができると共に、主接地電極や副接地電極の電極間の隙間を大きくとることができる。
【発明の効果】
【００２１】
本発明によると、点火プラグにおいて、副接地電極に、火花放電の切断を抑制するために正規放電ギャップから流された火花放電を受け止める役割と、絶縁碍子表面に付着したカーボンを焼失させるために沿面放電を行わせる役割と、を両立させることができる。
【発明を実施するための最良の形態】
【００２２】
以下に本発明の具体的な実施例を説明する。
【００２３】
＜実施例１＞
図１は、本発明の実施例１に係る点火プラグの概略を示す図である。点火プラグ１は、内燃機関の燃焼室の上面に配置される。
【００２４】
内燃機関に用いられる点火プラグ１は、その中心軸にそって配置される中心電極２と、中心電極２を取り囲む絶縁碍子３と、当該絶縁碍子３の周りに形成されるハウジング４と、を備える。
【００２５】
中心電極２は、燃焼室外方端部に電力の供給を受ける端子５を有し、燃焼室内方端部（以下、単に先端２ａという）が燃焼室内に突出する。
【００２６】
絶縁碍子３は、中心電極２とハウジング４の間を絶縁し、高電圧が電極以外に逃げることを防止している。絶縁碍子３の燃焼室内方端部が燃焼室に突出するが、絶縁碍子３から中心電極２が露出し、中心電極２の先端２ａの方が絶縁碍子３よりも燃焼室内方に突出している。
【００２７】
ハウジング４は、金属製の筒状であり、その中心軸は点火プラグ１の中心軸上にある。ハウジング４は、絶縁碍子３を取り巻くように外殻を構成しその燃焼室内方側外周面にはねじ６が切られており、絶縁碍子３を支持すると共に点火プラグ１を内燃機関に取り付ける役目を果たす。また、ハウジング４の燃焼室内方端部（以下、単に端部４ａという）には、主接地電極７及び副接地電極８が取り付けられている。
【００２８】
主に図２を用いて点火プラグ１の燃焼室内方側の詳細を説明する。点火プラグ１の燃焼
室内方側において、中心軸側ではハウジング４の端部４ａから絶縁碍子３及びその中心に位置する中心電極２の先端２ａが燃焼室内方に突出する。また、外周側ではハウジング４の端部４ａから主接地電極７及び副接地電極８が燃焼室内方に突出する。
【００２９】
すなわち、点火プラグ１の中心軸上では、ハウジング４の端部４ａから円柱状をした絶縁碍子３に覆われた中心電極２が燃焼室内方に突出する。そして、中心電極２は燃焼室内方で絶縁碍子３から露出し、その先端２ａは燃焼室内方に向けて尖っている。
【００３０】
一方、ハウジング４の端部４ａから中心電極２の先端２ａよりも燃焼室内方に主接地電極７が１つ延出されている。主接地電極７は、ハウジング４の端部４ａから燃焼室内方に延出し、途中で垂直に曲がり、先端７ａが中心電極２の延長線上、すなわち点火プラグ１の中心軸上に存在する。そして、中心電極２の先端２ａと主接地電極７の先端７ａとの間には、燃焼室内方の方向に沿った正規放電ギャップが形成される。
【００３１】
また、ハウジング４の端部４ａから中心電極２の先端２ａよりも燃焼室内方、かつ主接地電極７の先端７ａよりも燃焼室外方に副接地電極８が２つ延出されている。副接地電極８は、ハウジング４の端部４ａから燃焼室内方に延出し、途中から点火プラグ１の中心軸側へ曲がっている。そして、中心電極２の先端２ａと副接地電極８の先端８ａとの間には、火花放電の切断を抑制するために正規放電ギャップから流された火花放電を受け止める補助放電ギャップが形成される。
【００３２】
主接地電極７と副接地電極８とは、図２（ｂ）に示すように、絶縁碍子３に保持された中心電極２の周りで１２０度毎均等に離れて配置されている。
【００３３】
そして、図２（ａ）に示すように、主接地電極７及び副接地電極８の中途部に、絶縁碍子３の端面３ａの表面上に付着したカーボンを焼失させるためにカーボンを介した沿面放電を行わせる、点火プラグ１の中心軸方向に突出した突起部７ｂ，８ｂを夫々備えている。
【００３４】
ここで、図３を用いて点火プラグ１の燃焼室内方側の主なギャップの関係を説明する。中心電極２の先端２ａと主接地電極７の先端７ａとの間の正規放電ギャップをＥ、中心電極２の先端２ａと副接地電極８の先端８ａとの間の補助放電ギャップをＣとすると、Ｅ＜Ｃの関係を満たしている。また、正規放電ギャップをＥ、中心電極２の絶縁碍子３から露出した縁部２ｂと突起部８ｂ（若しくは突起部７ｂ）とのギャップをＡとすると、Ｅ＜Ａの関係を満たしている。Ｅ＜Ｃ、Ｅ＜Ａの関係を満たすことにより、正規放電ギャップＥが補助放電ギャップＣやギャップＡよりも小さく、通常時に正規放電ギャップＥで火花放電することができる。
【００３５】
補助放電ギャップをＣ、中心電極２の先端２ａと突起部８ｂ（若しくは突起部７ｂ）とのギャップをＤとすると、Ｃ＜Ｄの関係を満たしている。Ｃ＜Ｄの関係を満たすことにより、正規放電ギャップＥから流された火花放電を、ギャップＤで受け止めず、補助放電ギャップＣで受け止めることができる。
【００３６】
なお、火花放電を補助放電ギャップＣで受け止める際に着火性を保つため、中心電極２の先端２ａとハウジング４の端部４ａとのギャップをＩ、副接地電極８の先端８ａとハウジング４の端部４ａとのギャップをＪとすると、Ｉ＜Ｊの関係を満たすようにしている。
【００３７】
正規放電ギャップをＥ、絶縁碍子３における中心電極２の先端２ａが突出する端面３ａの縁部３ｂと突起部８ｂ（若しくは突起部７ｂ）とのギャップをＢとすると、Ｅ＞Ｂの関係を満たしている。また、突起部８ｂ（若しくは突起部７ｂ）と接地電極７，８が接続さ
れたハウジング４の端部４ａとのギャップをＨ、絶縁碍子３における中心電極２の先端２ａが突出する端面３ａと接地電極７，８が接続されたハウジング４の端部４ａとのギャップをＧとすると、Ｈ＜Ｇの関係を満たしている。Ｅ＞Ｂ、Ｈ＜Ｇの関係を満たすことにより、絶縁碍子３の端面３ａの表面にカーボンが付着した際にカーボンを焼失させるためにカーボンを介した沿面放電をギャップＢで行うことができ、かつ当該沿面放電が絶縁碍子３表面をはってギャップＧを有するハウジング４との間で行われることを防止することができる。
【００３８】
ところで、リーンバーンエンジンは、空燃比をリーン化して燃焼することで、燃費とＮＯｘエミッションを低減する。ここで、燃焼室内をリーン化するために燃焼室内の混合気の流動が促進されて激しくなっている。このように燃焼室内の混合気の流動が激しいときには、点火プラグ１における正規放電ギャップでの火花放電が流され、切断されてしまう場合がある。このため、正規放電ギャップを形成する主接地電極７の他に、正規放電ギャップから流された火花放電を受け止める補助放電ギャップを形成する副接地電極８を設け、火花放電が切断されてしまうことを抑制している。
【００３９】
一方、燃焼室内をリーン化する際にリッチ混合気が点火プラグ１周辺に集まり、点火プラグ１の絶縁碍子３の端面３ａにカーボンが付着し易い。点火プラグ１の中心電極２を保持する絶縁碍子３の端面３ａの表面にカーボンが付着すると、絶縁碍子３表面の絶縁性が低下し、正規放電ギャップでの火花放電よりもカーボンを介して絶縁碍子３表面からその周囲のハウジング４との間で沿面放電が生じてしまう場合がある。
【００４０】
このため、副接地電極８を用いて、絶縁碍子３表面に付着したカーボンを焼失させるための沿面放電を行わせることが望まれる。ところが、副接地電極８は、正規放電ギャップから流された火花放電を受け止めるために、副接地電極８の先端８ａが中心電極２の周りの絶縁碍子３表面から離れた燃焼室内方に位置する。このため、このままの副接地電極８では、補助放電ギャップで火花放電が行われても、放電位置が絶縁碍子３の端面３ａから遠く、絶縁碍子３表面に付着したカーボンを焼失させることはできなかった。
【００４１】
したがって、副接地電極８を設けただけでは、副接地電極８に、火花放電の切断を抑制するために正規放電ギャップから流された火花放電を受け止める役割と、絶縁碍子３表面に付着したカーボンを焼失させるために沿面放電を行わせる役割と、を両立させることは困難であった。
【００４２】
また、これら両方の役割を別々に持たせる副接地電極８を夫々設ける場合には、副接地電極８の総数が増加してしまい、主接地電極７や副接地電極８の電極間の隙間が小さくなる。このため、点火プラグ１における主接地電極７や副接地電極８に囲まれ放電を行う領域に対して電極間の小さな隙間からの掃気が不十分となり、点火を阻害する可能性があった。
【００４３】
そこで、本実施例では、火花放電の切断を抑制するために正規放電ギャップから流された火花放電を受け止める補助放電ギャップを形成する先端８ａを有する副接地電極８の中途部に、絶縁碍子３の端面３ａの表面上に付着したカーボンを焼失させるためにカーボンを介した沿面放電を行わせる突起部８ｂを設けている。
【００４４】
したがって、本実施例では、中心電極２の先端２ａと副接地電極８の先端８ａとの間の補助放電ギャップでは、火花放電の切断を抑制するために正規放電ギャップから流された火花放電を受け止めることができると同時に、突起部８ｂを用いて、絶縁碍子３の端面３ａの表面上に付着したカーボンを焼失させるためにカーボンを介した沿面放電を行わせることができる。
【００４５】
すなわち、突起部８ｂを設けた副接地電極８は、火花放電の切断を抑制するために正規放電ギャップから流された火花放電を受け止める役割と、絶縁碍子表面に付着したカーボンを焼失させるために沿面放電を行わせる役割と、を両立することができるようになる。
【００４６】
また、突起部８ｂを設けた副接地電極８は、前記両方の役割を担うことができるため、配置する副接地電極８の総数が少なくてよく、主接地電極７や副接地電極８の電極間の隙間が大きくなる。このため、点火プラグ１における主接地電極７や副接地電極８に囲まれ放電を行う領域に対して電極間の大きな隙間から掃気が十分行えるので、点火をより良く行うことができる。
【００４７】
また、本実施例では、主接地電極７の中途部にも突起部７ｂが設けられている。これによると、突起部７ｂでは主接地電極７側の絶縁碍子３の端面３ａ表面に付着したカーボンを焼失させることができる。よって、副接地電極８に設けられた突起部８ｂと主接地電極７に設けられた突起部７ｂとを用いることで、絶縁碍子３の端面３ａの表面に付着したカーボンを全周的に死角なく焼失させることができる。
【００４８】
なお、本実施例では、主接地電極７の中途部にも突起部７ｂが設けられている。しかし、図４（ａ）に示すように、主接地電極７の中途部には突起部７ｂが設けられていない構成としても本発明に包含される。この場合には、絶縁碍子３の端面３ａの表面に付着したカーボンを焼失させるために沿面放電を行わせる役割を果たす副接地電極８の突起部８ｂが２つだけとなるので、１つの突起部８ｂが半円領域で前記役目を果たすように、図４（ｂ）に示すように、副接地電極８を絶縁碍子３に保持された中心電極２の周りで夫々主接地電極７から９０度離れた位置で対向させる。
【００４９】
また、本実施例では、突起部７ｂ，８ｂは主接地電極７及び副接地電極８と一体部品となっている。しかし、図５に示すように、突起部７ｂ，８ｂは、主接地電極７及び副接地電極８とは別部品で構成されても本発明に包含される。この場合には、突起部７ｂ，８ｂが、主接地電極７及び副接地電極８に対して、打ち込み（溶接）等によって配置されることになる。これによると、本実施例のような突起部７ｂ，８ｂを必要としない点火プラグとで主接地電極７や副接地電極８を共用することができ、本実施例の点火プラグ１を製造する際に、当該接地電極７，８の部品の共通化によって製造コストを低減することができる。
【００５０】
さらに、本実施例では、図２（ｂ）に示すように、主接地電極７を１つ有すると共に副接地電極８を２つ有し、主接地電極７及び副接地電極８が絶縁碍子３に保持された中心電極２の周りで１２０度毎均等に離れて配置される。このため、火花放電の切断を抑制するために正規放電ギャップから流された火花放電を受け止める役割と、絶縁碍子３の端面３ａの表面に付着したカーボンを焼失させるために沿面放電を行わせる役割と、の両方の役割を３等分された領域で夫々の主接地電極７及び副接地電極８が担い、前記両方の役割を不具合なく果たすことができる。なお、火花放電の切断を抑制するために正規放電ギャップから流された火花放電を受け止める役割を主接地電極７が担うとは、主接地電極７自身の先端７ａでの正規放電ギャップから流された火花放電を、主接地電極７自身の中途部で受け止めることができることから、主接地電極７も本役割を担うといえる。またこれと共に、主接地電極７や副接地電極８の電極間の隙間を大きくとることができる。このため、電極間の大きな隙間から掃気が十分行えるので、点火をより良く行うことができる。
【００５１】
本発明に係る点火プラグは、上述の実施例に限定されるものではなく、本発明の要旨を逸脱しない範囲内において種々の変更を加えてもよい。
【図面の簡単な説明】
【００５２】
【図１】実施例１に係る点火プラグを示す図である。
【図２】実施例１に係る点火プラグの燃焼室内方側を示す図であり、（ａ）は側面図、（ｂ）は燃焼室内方からの底面図である。
【図３】実施例１に係る点火プラグの燃焼室内方側のギャップ関係を示す図である。
【図４】実施例１の他の例１に係る点火プラグの燃焼室内方側を示す図であり、（ａ）は側面図、（ｂ）は燃焼室内方からの底面図である。
【図５】実施例１の他の例２に係る点火プラグの燃焼室内方側を示す側面図である。
【符号の説明】
【００５３】
１     点火プラグ
２     中心電極
２ａ   先端
２ｂ   縁部
３     絶縁碍子
３ａ   端面
３ｂ   縁部
４     ハウジング
４ａ   端部
５     端子
６     ねじ
７     主接地電極
７ａ   先端
７ｂ   突起部
８     副接地電極
８ａ   先端
８ｂ   突起部
【図１】
2008130383.tif 000003
【図２】
2008130383.tif 000004
【図３】
2008130383.tif 000005
【図４】
2008130383.tif 000006
【図５】
2008130383.tif 000007